(57)【要約】【課題】  長さの異なる２種類のカードに共用できるカードコネクタでは、長いカードを挿入した場合に、短いカード用コンタクトをバネ圧に抗して押し下げるため、長いカードの挿入力が大きくなり、両カードを略同じ挿入力で装着することができない点。【解決手段】  イジェクト用のスライダ１２をカード挿入方向に沿って手前側の前スライダ１０と奥側の後スライダ１１に分割し、長いカード３が前スライダ１０を通過して後スライダ１１を単独で追従移動させ、短いカード２は前後スライダ１０，１１を一体的に追従移動させる。前スライダ１０に短いカード用コンタクト６の下側に張設されてこの弾性変位支点を兼ねる横連結板１０ｃ設け、短いカード用コンタクト６のバネ有効長Ｌを短いカード挿入時よりも長いカード挿入時に長くし、短いカード挿入時にはこの電極との電気接続に必要な十分なバネ圧を得る一方で、長いカード挿入時にはバネ圧を下げる。【選択図】  図１
2006108012.tif 000002
【特許請求の範囲】
【請求項１】
第１のカードと第１のカードより長さが長く横幅が狭い第２のカードとのサイズの異なる２種類のカードが挿入可能なハウジング内に、第１のカードの電極と接触させて電気的に接続させる片持ち支持の板バネからなる第１コンタクトと、第２のカードの電極と接触させて電気的に接続させる片持ち支持の板バネからなる第２コンタクトを、カード挿入方向に沿って手前側と奥側に前後２列に備えると共に、カード挿抜方向に摺動するイジェクト用のスライダを備えるカードコネクタにおいて、スライダをカード挿入方向に沿って手前側の前スライダと奥側の後スライダの２つに分割形成し、前スライダは第１コンタクトの下側に張設されてこの弾性変位支点を兼ねる横連結板により一体に連結される左右のカード挿入ガイドを有し、第２のカード挿入時には第２のカードが左右のカード挿入ガイドの間を通過して後スライダを単独で追従移動させると共に、左右のカード挿入ガイドには第１のカードの左右側部を所定長さだけ挿抜自在に嵌合させる左右のカード挿入ガイド溝が形成され、第１のカード挿入時には第１のカードが前後スライダを一体的に追従移動させるように構成し、第１コンタクトの弾性変位支点から自由端までのバネ有効長を前スライダの横連結板により第１のカード挿入時よりも第２のカード挿入時に長くすることを特徴とするカードコネクタ。
【請求項２】
前スライダの横連結板よりカード挿入方向に沿って奥側にも別の横連結板を平行に設け、第１のカード挿入時には奥側の横連結板により第１コンタクトの自由端を支持し、第１コンタクトを手前側の横連結板とで２点支持する請求項１に記載のカードコネクタ。
【発明の詳細な説明】
【技術分野】
【０００１】
本発明は、メモリーカードと各種電子機器の基板を電気的に接続するためのカードコネクタの中で、サイズの異なる２種類のメモリーカードに共用できるカードコネクタに関する。
【背景技術】
【０００２】
各種カードコネクタの中で、長さの異なる２種類のカードに共用できるカードコネクタでは、これら２種類のカードが挿入可能なハウジングに、短いカード用コンタクトと長いカード用コンタクトをカード挿入方向に沿って手前側と奥側に前後２列に備えると共に、長いカード挿入時に短いカード用のコンタクトを強制的に押し下げるコンタクト押し下げ機構を備え、短いカード用コンタクトに長いカードが接触するのを防止していた。（例えば、「特許文献１」参照。）。
【特許文献１】特願２００３−４９４８８号
【発明の開示】
【発明が解決しようとする課題】
【０００３】
本発明が解決しようとする課題は、長さの異なる２種類のカードに共用できるカードコネクタでは、長いカードを挿入した場合に、コンタクト押し下げ機構により短いカード用コンタクトを押し下げるため、長いカードの挿入力（挿入抵抗）が短いカードに比べて大きくなり、両カードを略同じ挿入力で装着することができない点にある。
【課題を解決するための手段】
【０００４】
課題を解決するための本発明の手段は、第１のカードと第１のカードより長さが長く横幅が狭い第２のカードとのサイズの異なる２種類のカードが挿入可能なハウジング内に、第１のカードの電極と接触させて電気的に接続させる片持ち支持の板バネからなる第１コンタクトと、第２のカードの電極と接触させて電気的に接続させる片持ち支持の板バネからなる第２コンタクトを、カード挿入方向に沿って手前側と奥側に前後２列に備えると共に、カード挿抜方向に摺動するイジェクト用のスライダを備えるカードコネクタにおいて、スライダをカード挿入方向に沿って手前側の前スライダと奥側の後スライダの２つに分割形成し、前スライダは第１コンタクトの下側に張設されてこの弾性変位支点を兼ねる横連結板により一体に連結される左右のカード挿入ガイドを有し、第２のカード挿入時には第２のカードが左右のカード挿入ガイドの間を通過して後スライダを単独で追従移動させると共に、左右のカード挿入ガイドには第１のカードの左右側部を所定長さだけ挿抜自在に嵌合させる左右のカード挿入ガイド溝が形成され、第１のカード挿入時には第１のカードが前後スライダを一体的に追従移動させるように構成し、第１コンタクトの弾性変位支点から自由端までのバネ有効長を前スライダの横連結板により第１のカード挿入時よりも第２のカード挿入時に長くすることを特徴とする。
【発明の効果】
【０００５】
本発明によれば、第１のカード挿入時には第１コンタクトのバネ有効長を縮めて第１のカードの電極との電気接続に必要な十分なバネ圧を得る一方で、第２のカード挿入時には第１コンタクトのバネ有効長を第１のカード挿入時よりも長くしてバネ圧を下げるので、両カードを略同じ挿入力で装着することができる。
【０００６】
また、本発明では、前スライダの横連結板よりカード挿入方向に沿って奥側にも別の横連結板を平行に設け、第１のカード挿入時には奥側の横連結板により第１コンタクトの自由端部を支持し、第１コンタクトを手前側の横連結板とで２点支持することで、バネ圧を可変にする第１コンタクトを第１のカードの電極に確実に電気接続することができる。
【発明を実施するための最良の形態】
【０００７】
以下、本発明の実施の形態を図面に基づいて説明する。図１は本発明の実施の形態に係るカードコネクタのカバーを取り外したカード未挿入状態の外観斜視図、図２は図１のカードコネクタの第１のカード挿入初期状態を示す平面図、図３は図１のカードコネクタの第１のカードロック状態を示す平面図、図４は図１のカードコネクタの第２のカード挿入初期状態を示す平面図、図５は図１のカードコネクタの第２のカードロック状態を示す平面図、図６はカード未挿入時の第１コンタクトの状態を示す断面図、図７は第１のカード挿入時の第１コンタクトの状態を示す断面図、図８は第２のカード挿入時の第１コンタクトの状態を示す断面図である。このコネクタ１は第１のカード２と第１のカード２より長さが長く、かつ、厚さも厚く、横幅が狭い第２のカード３の２種類のメモリーカードに共用するもので、図２，図３，図７には第１のカード２の一例としてＳＤカードを示し、図４，図５，図８には第２のカード３の一例としてメモリースティックを示す。
【０００８】
図１〜図８に示す如く、ボディ４は合成樹脂等の絶縁材料からなり底板４ａ，左右側壁４ｂ，４ｃ及び後側壁４ｄを有し、板金製（導電性）で天板及び左右側板を有する図示しないカバーとでコネクタ１の薄い矩形箱状のハウジングを構成する。また、ボディ左右側壁４ｂ，４ｃの前端部には該部の相対間隔を第２のカード３の横幅と略同じ寸法に形成するカード挿入口ガイド４ｅ，４ｆを設けると共に、左右カード挿入口ガイド４ｅ，４ｆの相対向する内側面に第１のカード２の左右側部を挿抜自在に嵌合させる左右カード挿入口ガイド溝４ｇ，４ｈを設け、第１のカード２と第２のカード３が挿入可能な単一のカード挿入口部５を形成している。ボディ４の底面はカード挿入口部５と左右側部及び後半部を残して開口されている。
【０００９】
ボディ４の内側には複数の第１コンタクト６と複数の第２コンタクト７を、カード挿抜方向に沿って手前側と奥側に前後２列に備えている。両コンタクト６，７は細長い導電性の金属板バネからなる。第１コンタクト６はカード挿入口部５のボディ底板４ａから略水平にカード挿入方向（後方）に延設する平坦状の長い基部６ａとその基部６ａの後端からボディ４の内側略中央部に後上り傾斜状に立ち上げる接片部６ｂとを有し、カード挿入口部５のボディ底板４ａに並設する複数のコンタクト取り付け溝８に基部６ａの前端部を圧入固定し、ボディ４の内側前部に片持ち支持で並設し、接片部６ｂの端部に第１のカード２の先端部下面側に並設されている図示しない複数の電極に接触させて電気的に接続させるための接点６ｃを形成している。また、基部６ａの前端はカード挿入口部５のボディ底板４ａの前側に突出させ、下面がボディ４の外底面と略面一になるように折り曲げ、基板のパターンに半田付けにより電気的に接続するための表面実装用の外部接点６ｄを形成している。他方、第２コンタクト７はボディ後側壁４ｄからボディ底板４ａに沿って略水平にカードイジェクト方向（前方）に延設する平坦状の短い基部７ａとその基部７ａの前端からボディ４の内側最奥部に前上がり傾斜状に立ち上げる接片部７ｂとを有し、ボディ４の最奥底部にインサート成形により基部７ａを一体固定し、ボディ４の内側最奥部に片持ち支持で並設し、接片部７ｂの端部に第２のカード３の先端部下面側に並設されている図示しない複数の電極に接触させて電気的に接続させるための接点７ｃを形成している。また、基部７ａの後端はボディ後側壁４ｄの外側に突出させ、下面がボディ４の外底面と略面一になるように折り曲げ、基板のパターンに半田付けにより電気的に接続するための表面実装用の外部接点７ｄを形成している。
【００１０】
ボディ４の内側にはプッシュイン／プッシュアウト型のカードイジェクト機構９を備えている。イジェクト機構９はカード挿入方向に沿って手前側の前スライダ１０と奥側の後スライダ１１の２つに分割形成された合成樹脂材料からなるスライダ１２を備えている。前スライダ１０は左右カード挿入口ガイド４ｅ，４ｆの後方に直列に配設する左右カード挿入ガイド１０ａ，１０ｂの前後下端部をボディ底板４ａの開口部４ｉ内でカード幅方向に平行に張設する前後横連結板１０ｃ，１０ｄにより一体連結したもので、左右カード挿入口ガイド４ｅ，４ｆの相対向する内側面と面一になる左右カード挿入ガイド１０ａ，１０ｂの相対向する内側面に第１のカード２の左右側部を挿抜自在に嵌合させる左右カード挿入ガイド溝１０ｅ，１０ｆを設けると共に、左右カード挿入口ガイド溝４ｇ，４ｈは左右カード挿入口ガイド４ｅ，４ｆの前端から後端に貫通形成する一方、左右カード挿入ガイド溝１０ｅ，１０ｆは左右カード挿入ガイド１０ａ，１ｂの前端から後端近傍までに形成されて後端には貫通させず、この左右カード挿入ガイド溝１０ｅ，１０ｆの後端に第１のカード２を挿入方向で受け止める左右係合面１０ｇ，１０ｈを設けている。他方、後スライダ１１は前スライダ１０の左カード挿入ガイド１０ａの後方に直列に配設している。後スライダ１１の後端部を除く内側面は左カード挿入ガイド１０ａの内側面と面一になっている。また、後スライダ１１の後端部内側面は正規挿入姿勢で挿入された第２のカード３の先端左角部の角落とし部３ａに沿うように内側に張り出し形成され、第２のカード３を挿入方向で受け止める係合面１１ａを設けている。尚、前スライダ１０の右カード挿入ガイド１０ｂには第１のカード２を左右係合面１０ｇ，１０ｈで受け止めたときに第１のカード２の右側面に形成されたハーフロック用の係合溝２ａに弾力的に係合させて前スライダ１０に対して第１のカード２をカード挿抜方向で係合させるための図示しないハーフロック部材を有し、また、後スライダ１１にも第２のカード３を係合面１１ａで受け止めたときに第２のカード３の左側面に形成されたハーフロック用の係合溝３ｂに弾力的に係合させて後スライダ１１に対して第２のカード３をカード挿抜方向で係合させるための図示しないハーフロック部材を有する。
【００１１】
イジェクト機構９は単一のイジェクトバネ１３を備えている。イジェクトバネ１３はボディ後側壁４ｄと後スライダ１１の間に入れる圧縮コイルバネからなり、後スライダ１１を直接イジェクト方向（前方）に常時付勢し、その付勢力により後スライダ１１の前端を左カード挿入ガイド１０ａの後端に押し当て、後スライダ１１を介して前スライダ１０を間接的にイジェクト方向に付勢するもので、カード未挿入時には左右カード挿入ガイド１０ａ，１０ｂの前端が左右カード挿入口ガイド４ｅ，４ｆの後端に突き当たり、その左カード挿入ガイド１０ａの後端に後スライダ１１の前端が接合する初期状態（図１，図６に示す状態）にスライダ１２の前後スライダ１０，１１を復帰保持する。また、第１のカード挿入時には第１のカード２の挿入に前後スライダ１０，１１を一体的に追従移動させ、前後スライダ１０，１１を初期位置から一体的に後スライダ１１の後端がボディ後側壁４ｄに突き当たる最押し込み位置まで移動させる一方、第２のカード挿入時には第２のカード３の挿入に後スライダ１１のみを単独で追従移動させ、前スライダ１０を初期位置に残して後スライダ１１をこの後端がボディ後側壁４ｄに突き当たる最押し込み位置まで移動させるように構成している。
【００１２】
前後スライダ１０，１１を連動連結する連結ピン１４を備えている。連結ピン１４は後端を後スライダ１１に係止させ、前端を左カード挿入ガイド１０ａに形成した長孔１５に挿通させて左カード挿入ガイド溝１０ｅの内側に突出させ、後スライダ１１を単独移動可能に左カード挿入ガイド１０ａに連結すると共に、長孔１５の前端から連結ピン１４の前端を左カード挿入ガイド溝１０ｅの溝側面に埋没させて左カード挿入ガイド１０ａとカード挿抜方向で係合させるノッチ１５ａを設け、左カード挿入ガイド１０ａの後端に後スライダ１１の前端が接合する初期状態において連結ピン１４の前端が長孔１５の前端に保持されてノッチ１５ａに係合可能になり、第１のカード挿入時に左カード挿入ガイド溝１０ｅに嵌合される第１のカード２の左側部により連結ピン１４の前端をノッチ１５ａに押し込み、左カード挿入ガイド１０ａの後端に後スライダ１１を接合状態で一体連結するように構成している。
【００１３】
イジェクト機構９は、単一のロック機構１６を備えている。ロック機構１６は後スライダ１１の後部上面に形成するカム溝１７と、両端部を一方向に直角に折曲げた細長い金属棒からなり後端折り曲げ部をボディ後側壁４ｄに係止し、前端折り曲げ部をカム溝１７に摺動自在に嵌入するカムピン１８とで構成されている。カム溝１７は後端頂部の起点部１７ａと前端中央窪み部の係止部１７ｃとを往路１７ｂ及び復路１７ｄによりつなぐハート形に形成されており、第１のカード挿入時に一体連結されている前後スライダ１０，１１の初期位置から最押し込み位置の間の移動を許容し、かつ、前後スライダ１０，１１を初期位置から最押し込み位置に押し込むプッシュイン動作により係止部１７ｃにカムピン１８の前端折り曲げ部を係止させ、前後スライダ１０，１１をカード装着位置（図３に示す位置）にロック（前後スライダ１０，１１の初期位置への復帰移動を規制する。）すると共に、前後スライダ１０，１１をカード装着位置から最押し込み位置に押し込むプッシュアウト動作により係止部１７ｃからカムピン１８の前端折り曲げ部を離脱させ、前後スライダ１０，１１を初期位置に復帰させるように構成し、また、第２のカード挿入時に単独移動可能になっている後スライダ１１の初期位置から最押し込み位置の間の単独移動を許容し、かつ、後スライダ１１を単独で初期位置から最押し込み位置に押し込むプッシュイン動作により係止部１７ｃにカムピン１８の前端折り曲げ部を係止させ、後スライダ１１を単独でカード装着位置（図５に示す位置）にロック（後スライダ１１の初期位置への復帰移動を規制する。）すると共に、後スライダ１１を単独でカード装着位置から最押し込み位置に押し込むプッシュアウト動作により係止部１７ｃからカムピン１８の前端折り曲げ部を離脱させ、後スライダ１１を単独で初期位置に復帰させるように構成している。
【００１４】
そして、図６〜図８に示す如く、前スライダ１０の前横連結板１０ｃは第１コンタクト６の基部６ａの下側に張設され、第１のコンタクト６の弾性変位支点を兼ねており、カード未挿入時には基部６ａの前端部下面が当接する位置（図６に示す位置）にあり、第１のカード挿入時には前スライダ１０が初期位置からカード挿入方向に押し込まれカード装着位置に移動することで、基部６ａの後端部下面が当接する位置（図７に示す位置）に移動する一方、第２のカード挿入時には前スライダ１０が初期位置から移動しないことで、カード未挿入時と同様に基部６ａの前端部下面が当接する位置（図８に示す位置）に保持されるもので、第１コンタクト６の弾性変位支点から自由端の接点６ｃまでのバネ有効長Ｌを前スライダ１０の前横連結板１０ｃにより第１のカード挿入時よりも第２のカード挿入時に長くするように構成している（Ｌ２＜Ｌ１）。
【００１５】
また、前スライダ１０の後横連結板１０ｄは第１コンタクト６の接片部６ｂの長さより長い間隔を設けて前横連結板１０ｃの後方に平行に張設され、カード未挿入時には接片部６ｂの下方位置（図６に示す位置）にあり、第１のカード挿入時には接片部６ｂの下方から後方に外れる位置（図７に示す位置）に移動する一方、第２のカード挿入時にはカード未挿入時と同様に接片部６ｂの下方位置（図８に示す位置）に保持される。
【００１６】
さらに、前スライダ１０には前後横連結板１０ｃ，１０ｄ介して各第１コンタクト６の基部６ａの間に張設する複数の隔壁１０ｉを設け、各隔壁１０ｉの上面により左右カード挿入ガイド１０ａ，１０ｂの間にボディ底板４ａの上面と面一になるカード支持底面１０ｊを形成すると共に、各隔壁１０ｉの間に各第１コンタクト６の基部６ａを挿通させるコンタクト収容溝１０ｋを形成し、第２のカード挿入時に第２のカード３により各第１コンタクト６の接片部６ｂを各コンタクト収容溝１０ｋの内側に押し下げるように構成している。
【００１７】
次に、上記カードコネクタ１の動作を説明する。図１，図６に示す如く、コネクタ１はカード未挿入時、イジェクト機構９は前後スライダ１０，１１がイジェクトバネ１３の付勢力により左右カード挿入ガイド１０ａ，１０ｂの前端が左右カード挿入口ガイド４ｅ，４ｆの後端に突き当たり、その左カード挿入ガイド１０ａの後端に後スライダ１１の前端が接合する初期位置に復帰保持され、左右カード挿入ガイド溝１０ｅ，１０ｆが左右カード挿入口ガイド溝４ｇ，４ｈの後端に連通接続されると共に、カム溝１７の起点部１７ａにカムピン１８の前端折り曲げ部が嵌入された初期状態（イジェクト状態）になっている。また、この初期状態では前スライダ１０の前横連結板１０ｃが第１コンタクト６の基部６ａの前端部を支えるので、第１コンタクト６は基部６ａの前端部から接片部６ｂの後端の接点６ｃまでの部分が有効になるが、このときのバネ有効長Ｌ１ではバネ機能は殆ど消失されることになる。
【００１８】
そして、図２，図３，図７に示す如く、第１のカード２が正規挿入姿勢でボディ４のカード挿入口部５における左右カード挿入口ガイド４ｅ，４ｆの左右カード挿入口ガイド溝４ｇ，４ｈの間から挿入されると、第１のカード２の先端部が前スライダ１０における左右カード挿入ガイド１０ａ，１０ｂの左右カード挿入ガイド溝１０ｅ，１０ｆの間に挿入されて行き、第１のカード２の先端が左カード挿入ガイド溝１０ｅの内側に突出している連結ピン１４の前端を通過するとき、第１のカード２の先端左角部で連結ピン１４の前端を外側に押し退けてノッチ１５ａに押し込み、第１のカード２の先端が連結ピン１４の前端を通過した以降は、第１のカード２の左側面で連結ピン１４の前端の左カード挿入ガイド溝１０ｅの内側への復帰が規制されてノッチ１５ａに係合保持され、前後スライダ１０，１１が連結ピン１４により左カード挿入ガイド１０ａの後端に後スライダ１１を接合した状態で一体連結される。また、第１のカード２はその先端が連結ピン１４の前端を通過した後、その先端左右角部が左右カード挿入ガイド溝１０ｅ，１０ｆの後端に達したとき左右の係合面１０ｇ，１０ｈに突き当たり、これ以降、前後スライダ１０，１１が一体的に第１のカード２の挿入に追従移動し、第１のカード２によるカードイジェクト機構９のプッシュイン／プッシュアウト動作を可能にする。すなわち、図２に示す状態から第１のカード２を押し込むと、左右係合面１０ｇ，１０ｈが後方へ押圧され、前後スライダ１０，１１が一体的に第１のカード２の押し込みに追従移動し、イジェクトバネ１３の付勢力に抗して初期位置からボディ４の奥側へと押し込まれ、後スライダ１１の後端がボディ後側壁４ｄに突き当たる最押し込み位置へと移動する。この時点で、第１のカード２の押し込みを解除すると、前後スライダ１０，１１は一体にイジェクトバネ１３の付勢力により最押し込み位置からイジェクト方向へ押し戻される。この前後スライダ１０，１１の初期位置からの一連の動作によりカムピン１８の前端折り曲げ部がカム溝１７の起点部１７ａから往路１７ｂを経て係止部１７ｃに導入係止され、図３に示す如く、前後スライダ１０，１１のイジェクト方向への移動が最押し込み位置より少し手前のカード装着位置で規制され、ボディ４に対して前後スライダ１０，１１が一体的にカード装着位置にてロックされる。これにより、前スライダ１０における左右カード挿入ガイド１０ａ，１０ｂの左右カード挿入ガイド溝１０ｅ，１０ｆの間に嵌め込まれている第１のカード２の先端部下面の各電極が各第１コンタクト６の接点６ｃに乗り上がり接触して電気的に接続され、カード装着状態になる。
【００１９】
上記のカード装着時、前スライダ１０の初期位置からカード装着位置への移動に伴い、第１コンタクト６の基部６ａを支えている前横連結板１０ｃも後方に移動するので、第１コンタクト６のバネ有効長Ｌが縮められる。そして、図７に示す如く、前スライダ１０がカード装着位置に達したときには、前横連結板１０ｃが第１コンタクト６の基部６ａの後端部を支えるので、第１コンタクト６は接片部６ｂのみが有効になり、このときの有効長Ｌ２により最大のバネ圧が得られるので、各第１コンタクト６の接点６ｃは装着状態の第１のカード２の電極との電気接続に十分なバネ圧（接触圧）で接触することになる。
【００２０】
上記のカード装着状態で第１のカード２の押し込みを行うことにより、前記係合面１０ｇ，１０ｈが後方へ押圧され、前後スライダ１０，１１は一体にイジェクトバネ１３の付勢力に抗してカード装着位置から再び最押し込み位置へと移動する。この動作によりカムピン１８の前端折り曲げ部がカム溝１７の係止部１７ｃから離脱して復路１７ｄに導入され、前後スライダ１０，１１のイジェクト方向への移動規制が解除される（一体の前後スライダ１０，１１のロックが解除される）。この時点で、第１のカード２の押し込みを解除することにより、前後スライダ１０，１１は一体にイジェクトバネ１３の付勢力により最押し込み位置からイジェクト方向へ押し戻され、初期位置へと復帰し、図２に示す如く、第１のカード２がイジェクトされて挿入初期位置で保持される。挿入初期位置にイジェクトされた第１のカード２はボディ４のカード挿入口部５から突出している端部を指で摘んで引抜くことによりボディ４から抜去ることができ、図１に示す如く、コネクタ１はカード未挿入状態になる。
【００２１】
上記のカードイジェクト時、前スライダ１０のカード装着位置から初期位置への復帰に伴い、第１コンタクト６の基部６ａを支えている前横連結板１０ｃも前方に移動するので、第１コンタクト６のバネ有効長Ｌが延ばされる。そして、図６に示す如く、前スライダ１０が初期位置に復帰したときには、上記のように前横連結板１０ｃが第１コンタクト６の基部６ａの前端部を支えるので、第１コンタクト６は基部６ａの前端部から接片部６ｂの後端の接点６ｃまでの部分が有効になり、バネ機能が殆ど消失されるバネ有効長Ｌ１に戻される。また、第１のカード２がボディ４のカード挿入口部５から引抜れることにより連結ピン１４の前端がノッチ１５ａから離脱して左カード挿入ガイド溝１０ｅの内側へ復帰し、連結ピン１４による前後スライダ１０，１１の一体連結が解除され、後スライダ１１が単独で移動可能になる。
【００２２】
一方、図４，図５，図１１に示す如く、第２のカード３は第１のカード２より横幅が狭いので、ボディ４のカード挿入口部５における左右カード挿入口ガイド４ｅ，４ｆの間から正規挿入姿勢で挿入でき、その先端部が前スライダ１０における左右カード挿入ガイド１０ａ，１０ｂの間に挿入される。このため、第２のカード３は連結ピン１４による前後スライダ１０，１１の一体連結を解除したまま、前スライダ１０を追従移動させることなく、左右カード挿入口ガイド１０ａ，１０ｂの間を通過し、後スライダ１１の側方まで挿入され、第２のカード３の先端左側の角落とし部３ａが後スライダ１１の係合面１１ａに突き当たり、これ以降、後スライダ１１が単独で第２のカード３の挿入に追従移動し、第２のカード３によるカードイジェクト機構９のプッシュイン／プッシュアウト動作を可能にする。すなわち、図４に示す状態から第２のカード３を押し込むと、係合面１１ａが後方へ押圧され、後スライダ１１が第２のカード３の押し込みに追従移動し、イジェクトバネ１３の付勢力に抗して初期位置からボディ４の奥側へと押し込まれ、後端がボディ後側壁４ｄに突き当たる最押し込み位置へと移動する。この時点で、第２のカード３の押し込みを解除すると、後スライダ１１はイジェクトバネ１３の付勢力により最押し込み位置からイジェクト方向へ押し戻される。この後スライダ１１の初期位置からの一連の動作によりカムピン１８の前端折り曲げ部がカム溝１７の起点部１７ａから往路１７ｂを経て係止部１７ｃに導入係止され、図５に示す如く、後スライダ１１のイジェクト方向への移動が最押し込み位置より少し手前の第１のカード挿入時と同じカード装着位置で規制され、ボディ４に対して後スライダ１１がカード装着位置にてロックされる。これにより、第２のカード３の先端部下面の各電極が各第２コンタクト７の接点７ｃに乗り上がり接触して電気的に接続され、カード装着状態になる。
【００２３】
上記のカード装着時、図１１に示す如く、第２のカード３は前スライダ１０における左右カード挿入ガイド１０ａ，１０ｂの間を通過するとき、第２のカード３の下面で各第１コンタクト６の自由端の接点６ｃを下方に押圧して接片部６ｂを各コンタクト収容溝１０ｋの内側に押し下げながら通過し、この押し下時の摩擦力とこれ以降の第２のカード３の下面と各第１コンタクト６の接点６ｃとの摩擦力が第２のカード３の挿入抵抗になるが、第２のカード挿入時には第２のカード３の挿入に後スライダ１１のみが単独で追従移動し、前スライダ１０は追従移動することなく初期位置に保持されているので、前横連結板１０ｃも移動することなく第１コンタクト６の基部６ａの前端部を支えたままになり、第１コンタクト６のバネ有効長Ｌが初期状態のバネ有効長Ｌ１に保持される。これにより、第１コンタクト６のバネ機能は殆ど消失され、バネ圧は第２のカード３の挿入に殆ど影響を及ぼさない程度にまで極端に小さくなっているので、第２のカード３も第１のカード２と略同じ挿入力で装着でき、両カード２，３の挿入力に差を生じるのを低減又は防止できる。
【００２４】
上記のカード装着状態で第２のカード３の押し込みを行うことにより、前記係合面１１ａが後方へ押圧され、後スライダ１１はイジェクトバネ１３の付勢力に抗してカード装着位置から再び最押し込み位置へと移動する。この動作によりカムピン１８の前端折り曲げ部がカム溝１７の係止部１７ｃから離脱して復路１７ｄに導入され、後スライダ１１のイジェクト方向への移動規制が解除される（後スライダ１１のロックが解除される）。この時点で、第２のカード３の押し込みを解除することにより、後スライダ１１はイジェクトバネ１３の付勢力により最押し込み位置からイジェクト方向へ押し戻され、前端が初期位置に保持されている前スライダ１０の左カード挿入ガイド１０ａの後端に接合する初期位置へと復帰し、図４に示す如く、第２のカード３がイジェクトされて挿入初期位置で保持される。挿入初期位置にイジェクトされた第２のカード３はボディ４のカード挿入口部５から突出している端部を指で摘んで引抜くことによりボディ４から抜去ることができ、図１に示す如く、コネクタ１はカード未挿入状態になる。
【００２５】
以上のように、第１のカード２と第１のカード２より長さが長く横幅が狭い第２のカード３とのサイズの異なる２種類のカードが挿入可能なハウジングであるボディ４内に、第１のカード２の電極と接触させて電気的に接続させる片持ち支持の板バネからなる第１コンタクト６と、第２のカード３の電極と接触させて電気的に接続させる片持ち支持の板バネからなる第２コンタクト７を、カード挿入方向に沿って手前側と奥側に前後２列に備えると共に、カード挿抜方向に摺動するイジェクト用のスライダ１２を備えるカードコネクタにおいて、スライダ１２をカード挿入方向に沿って手前側の前スライダ１０と奥側の後スライダ１１の２つに分割形成し、前スライダ１０は第１コンタクト６の下側に張設されてこの弾性変位支点を兼ねる横連結板１０ｃにより一体に連結される左右のカード挿入ガイド１０ａ，１０ｂを有し、第２のカード挿入時には第２のカード３が左右のカード挿入ガイド１０ａ，１０ｂの間を通過して後スライダ１１を単独で追従移動させると共に、左右のカード挿入ガイド１０ａ，１０ｂには第１のカード２の左右側部を所定長さだけ挿抜自在に嵌合させる左右のカード挿入ガイド溝１０ｅ，１０ｆが形成され、第１のカード挿入時には第１のカード２が前後スライダ１０，１１を一体的に追従移動させるように構成し、第１コンタクト６の弾性変位支点から自由端までのバネ有効長Ｌを前スライダ１０の横連結板１０ｃにより第１のカード挿入時よりも第２のカード挿入時に長くすることで、第１のカード挿入時には第１コンタクト６のバネ有効長を縮めて第１のカード２の電極との電気接続に必要な十分なバネ圧を得る一方で、第２のカード挿入時には第１コンタクト６のバネ有効長を第１のカード挿入時よりも長くしてバネ圧を下げるので、両カード２，３を略同じ挿入力で装着することができる。
【００２６】
また、スライダ１２を第１のカード２の挿入に追従移動する前スライダ１０と第２のカード３の挿入に追従移動する後スライダ１１の二つに分割形成したが、これら前後スライダ１０，１１と単一のイジェクトバネ１３と単一のロック機構１６により両カード２，３に共用できるプッシュイン／プッシュアウト型のカードイジェクト機構９を構成しているので、すなわち、両カード２，３ごとに独立したプッシュイン／プッシュアウト型のカードイジェクト機構を備える必要がないので、サイズの異なる２種類のカード２，３に共用できるカードコネクタ１の構造を簡潔にでき、コストも低減できる。
【００２７】
図９〜図１１に示す如く、第１コンタクト６の接片部６ｂに接点６ｃからさらに後方に延設する延長部６ｅを設け、第１のカード挿入時に第１コンタクト６の接片部６ｂの下方より後方に外れる位置に移動する後横連結板１０ｄにより前記延長部６ｅの端部を支え、基部６ａの後端部を支えている前横連結板１０ｃとで第１コンタクト６の接片部６ｂを前後端２点で支持するように構成している。すなわち、カード未挿入時及び第２のカード挿入時に前スライダ１０の後横連結板１０ｃにより１点支持される第１コンタクト６を第１のカード２が挿入されてカード装着位置に達したときに２点支持に切り替えて支持するように構成している。
【００２８】
上記のように前スライダ１０の前横連結板１０ｃよりカード挿入方向に沿って奥側にも別の後横連結板１０ｄを平行に設け、第１のカード挿入時には奥側の後横連結板１０ｄにより第１コンタクト６の自由端（延長部６ｅの端部）を支持し、第１コンタクト６を手前側の前横連結板１０ｃとで２点支持することで、前スライダ１０の前横連結板１０ｃによりバネ圧を可変にする第１コンタクト６を第１のカード２の電極に確実に電気接続することができる。
【図面の簡単な説明】
【００２９】
【図１】本発明の実施の形態に係るカードコネクタのカバーを取り外したカード未挿入状態の外観斜視図である。
【図２】図１のカードコネクタの第１のカード挿入初期状態を示す平面図である。
【図３】図１のカードコネクタの第１のカードロック状態を示す平面図である。
【図４】図１のカードコネクタの第２のカード挿入初期状態を示す平面図である。
【図５】図１のカードコネクタの第２のカードロック状態を示す平面図である。
【図６】カード未挿入時の第１コンタクトの状態を示す断面図である。
【図７】第１のカード挿入時の第１コンタクトの状態を示す断面図である。
【図８】第２のカード挿入時の第１コンタクトの状態を示す断面図である。
【図９】第１コンタクトの支持構造の変形例におけるカード未挿入時の第１コンタクトの状態を示す断面図である。
【図１０】第１コンタクトの支持構造の変形例における第１のカード挿入時の第１コンタクトの状態を示す断面図である。
【図１１】第１コンタクトの支持構造の変形例における第２のカード挿入時の第１コンタクトの状態を示す断面図である。
【符号の説明】
【００３０】
１      カードコネクタ
２      第１のカード
３      第２のカード
４      ボディ（ハウジング）
５      カード挿入口部
６      第１コンタクト
７      第２コンタクト
９      カードイジェクト機構
１０    前スライダ
１０ａ，１０ｂ  カード挿入ガイド
１０ｃ，１０ｄ  横連結板
１０ｅ，１０ｆ  カード挿入ガイド溝
１１    後スライダ
１２    スライダ
１３    イジェクトバネ
１６    ロック機構
【図１】
2006108012.tif 000003
【図２】
2006108012.tif 000004
【図３】
2006108012.tif 000005
【図４】
2006108012.tif 000006
【図５】
2006108012.tif 000007
【図６】
2006108012.tif 000008
【図７】
2006108012.tif 000009
【図８】
2006108012.tif 000010
【図９】
2006108012.tif 000011
【図１０】
2006108012.tif 000012
【図１１】
2006108012.tif 000013